【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
第１の構成要素を第２の構成要素に連結する再使用可能な圧入式リテーナー組立体において、
近位ヘッド部と、該近位ヘッド部から離反するように外方へ突出する矢尻形状の遠位ベース部とを含むクリップ部材であって、前記遠位ベース部は、前記近位ヘッド部に連結された中央ステムの先端部分から離反するように傾斜して延びる一対の可撓性ウイング部を含み、プラットフォームを形成するカラー部が前記近位ヘッド部に対して上方に離間しかつ前記可撓性ウイング部の下縁に対して下方に離間するように配置されており、前記近位ヘッド部と前記カラー部との間に配置される連結構造体が、前記第１の構成要素のキー溝スロット内に摺動可能に嵌合するようにしたクリップ部材と、
前記遠位ベース部に係合しこれを収納するスリーブであって、該スリーブは前記第２の構成要素の受容開口部に挿入するように形成されたニップルを含み、該ニップルはラジアルベース部から離反するように外方に突出し、前記ニップルは、軸方向内部通路と、一対の対向する細長い窓開口部とを有しており、前記遠位ベース部を第１挿入段階まで前記ニップルに挿入すると、前記クリップ部材の前記ウイング部が前記窓開口部を通過して前記ニップルから外方に配置されるようになっており、前記窓開口部は、前記遠位ベース部が前記第１挿入段階よりも深く第２挿入段階まで前記ニップルに挿入されると、前記ウイング部が前記中央ステムに向かって径方向内方に圧迫されるような有効高さを有しており、前記第１の構成要素が前記近位ヘッド部と前記カラー部との間に正しく配置されると、前記遠位ベース部が前記第２挿入段階まで前記ニップル内に挿入されることが阻止されるようにしたスリーブと、
を具備する再使用可能な圧入式リテーナー組立体。
【請求項２】
第１の構成要素を第２の構成要素に連結する再使用可能な圧入式リテーナー組立体において、
プラットフォーム形状の近位ヘッド部と、該近位ヘッド部から離反するように外方に突出する矢尻形状の遠位ベース部とを含む一体成形ポリマー構造のクリップ部材であって、前記遠位ベース部は、前記近位ヘッド部に連結された中央ステムの先端部分から離反するように前記近位ヘッド部の方へ傾斜して延びる一対の可撓性ウイング部を含み、
前記近位ヘッド部から上方に離間しかつ前記可撓性ウイング部の下縁から下方に離間するように配置されたプラットフォームを構成するカラー部が、前記近位ヘッド部に対して実質的に平行かつ前記ウイング部および前記中央ステムを含む平面に対して実質的に垂直な平面内に配置され、前記カラー部は長手の方向が前記ウイング部および前記中央ステムを含む前記平面から外方に突出しており、前記カラー部の周囲にボックス形フレーム部が配置され、該ボックス形フレーム部は前記ウイング部および前記中央ステムと同一平面内に配置され、前記カラー部の下方の前記ボックス形フレーム部の一部が前記第１の構成要素のキー溝スロット内で摺動するようになっており、前記中央ステムの前記先端部分は、前記中央ステムの両面に配置される第１の組の隆起した係止部と、該第１の組の隆起した係止部の下方に、該第１の組の隆起した係止部の近傍に配置される第２の組の隆起した係止部とを含み、前記第１の組の隆起した係止部は前記中央ステムに沿った第１の高さに第１の肩部を形成する下縁を有し、前記第２の組の隆起した係止部は前記中央ステムに沿った第２の高さに第２の肩部を形成する下縁を有し、前記第２の高さは前記第１の高さよりも前記カラー部に近く、前記第１の肩部は前記中央ステムに対して実質的に直角を形成し、前記第２の肩部は前記中央ステムに対して傾斜しているクリップ部材と、
前記遠位ベース部を嵌合収納するように構成されている一体成形ポリマー構造のスリーブであって、該スリーブは前記第２の構成要素の受容開口部に挿通されるように構成されているニップルを含み、該ニップルはラジアルベース部から外方に離反するように突出し、前記ニップルは、前記遠位ベース部が該ニップルに挿入されると前記第１の組の隆起した係止部および前記第２の組の隆起した係止部上に摺動するように配向されている内方に突出するフィンガーを有する軸方向通路を有し、前記ニップルは、前記内方に突出するフィンガーから周方向にオフセットされた一対の対向する細長い窓開口部を更に有し、該窓開口部は、前記遠位ベース部が、前記内方に突出するフィンガーが前記第１の肩部に係合する第１挿入段階まで前記ニップルに挿入されると、前記クリップ部材の前記ウイング部を通過させて前記ニップルから外方の位置にするように構成されており、前記窓開口部は、前記遠位ベース部が、前記内方に突出するフィンガーが前記第２の肩部に係合する前記第１挿入段階よりも深い第２挿入段階まで前記ニップルに挿入されると、前記ウイング部が前記中央ステムに向かって径方向内方に圧迫されるような有効高さを有しており、前記ラジアルベース部は、前記ニップルから径方向に離反するように延びる環状支持上面を有し、周壁が凹状内部の回りに該支持上面から下方に延びており、前記凹状内部は、前記遠位ベース部が前記第２挿入段階まで前記ニップルに挿入される際、前記カラー部を収納するように構成されており、前記第１の構成要素が前記近位ヘッド部と前記カラー部との間の適所にある場合、前記遠位ベース部が前記第２挿入段階まで前記ニップルに挿入されることが阻止されるスリーブと、
を具備する再使用可能な圧入式リテーナー組立体。
【請求項３】
再使用可能な圧入式リテーナー組立体を用いて第１の構成要素と第２の構成要素とを連結および係脱する方法において、
圧入式リテーナー組立体を準備する段階であって、前記リテーナー組立体は、近位ヘッド部と、該近位ヘッド部から離反するように外方へ突出する矢尻形状の遠位ベース部とを含むクリップ部材を含み、前記遠位ベース部は、中央ステムの先端部分から離反するように傾斜して延びる一対の可撓性ウイング部を含み、前記中央ステムは前記近位ヘッド部に連結されており、プラットフォームを形成するカラー部が、前記近位ヘッド部から上方に離間しかつ前記可撓性ウイング部の下縁から下方に離間するように配置され、前記第１の構成要素に係合するように構成されている連結構造体が、前記近位ヘッド部と前記カラー部との間に配置され、前記リテーナー組立体は、前記遠位ベース部を嵌合収納するように構成されているスリーブを更に含み、該スリーブは前記第２の構成要素の受容開口部に挿通されるように構成されているニップルを含み、該ニップルはラジアルベース部から離反するように外方に突出し、前記ニップルは、軸方向通路と、前記遠位ベース部が第１挿入段階まで該ニップルに挿入される際、前記クリップ部材の前記ウイング部を通過させて前記ニップルから外方の位置にするように構成されている一対の対向する細長い窓開口部とを有し、該窓開口部は、前記遠位ベース部が前記第１挿入段階よりも深い第２挿入段階まで前記ニップルに挿入される際、前記ウイング部が前記中央ステムに向かって径方向内方に圧迫されるように効果的な高さを有する圧入式リテーナー組立体を準備する段階と、
前記第１の構成要素を前記近位ヘッド部と前記カラー部との間に挟持、固定する段階と、
前記ウイング部が前記窓開口部を径方向外方に突出するように、前記クリップ部材の前記遠位ベース部を前記第１挿入段階まで前記ニップルに挿入する段階と、
前記ニップルを前記第２の構成要素の前記受容開口部に挿入する段階と、
前記第２の構成要素を前記可撓性ウイング部と前記ラジアルベース部との間にクランプする段階と、
前記クランプする段階の完了後に、前記近位ヘッド部と前記カラー部との間に挟持されている前記第１の構成要素を取り外す段階と、
前記ウイング部が前記ニップル内で前記中央ステムに向かって径方向内方に圧迫されるように、前記クリップ部材を前記第２挿入段階まで前記ニップルに圧入する段階と、
前記ウイング部が内部で圧迫状態にある前記ニップルを前記第２の構成要素の前記受容開口部を通して抜去する段階とを含む方法。